(57)【要約】【課題】メス形コネクタを基準とした開口部の位置ずれがある程度存在しても、オス形コネクタの取出時におけるオス形コネクタや開口部の破損を抑制する。【解決手段】メス形コネクタ５１は、ケース本体内に設けられ、外部装置が備えるオス型コネクタ６０と係合可能である。このケース本体には、メス型コネクタ５１と位置的に対応した開口部１２が設けられ、この開口部１２は、オス型コネクタ６０の先端をメス型コネクタ５１内に導くガイドとなる。開口部１２は、メス型コネクタ５１の内寸と略同寸法を有するとともに、オス型コネクタ６０の側面に設けられた突出爪６１ａと位置的に対応する部位を切り欠いた開口形状を有する。【選択図】図３
2006048100.tif 000002
【特許請求の範囲】
【請求項１】
携帯端末において、
ケース本体と、
前記ケース本体内に設けられ、外部装置が備えるオス型コネクタと係合可能なメス型コネクタと、
前記メス型コネクタと位置的に対応して前記ケース本体に設けられ、前記オス型コネクタの先端を前記メス型コネクタ内に導くガイドとなる開口部とを有し、
前記開口部は、前記メス型コネクタの内寸と略同寸法を有するとともに、前記オス型コネクタの側面に設けられた突出爪と位置的に対応する部位を切り欠いた開口形状を有することを特徴とする携帯端末。
【発明の詳細な説明】
【技術分野】
【０００１】
本発明は、外部装置との間でコネクタ接続される携帯端末に係り、特にコネクタ部の構造に関する。
【背景技術】
【０００２】
外部装置とのコネクタ接続を介して、内蔵バッテリーの充電やデータ転送を行う携帯端末が知られている。従来の携帯端末として、ケース本体に、外部装置が備えるオス形コネクタの先端を自己が備えるメス形コネクタに導くガイドとして機能する開口部が設けられているものがある。この開口部は、メス形コネクタの内寸と略同寸法を有しており、メス形コネクタと位置的に対応して設けられている。また、係合したコネクタ同士のガタを防止し、適度な接触圧を確保するために、オス形コネクタの側面には、所定の高さを有する突出爪が設けられている。
【発明の開示】
【発明が解決しようとする課題】
【０００３】
しかしながら、実際の製品には組立誤差が存在するので、メス形コネクタの位置と、そのガイドとなる開口部との位置は完全には一致しない。メス形コネクタを基準とした開口部の位置ずれが大きいと、メス形コネクタに挿入されたオス形コネクタを取り出す際、オス形コネクタの側面に設けられた突出爪が開口部の縁部に引っ掛かってしまい、オス形コネクタや開口部の破損を招くおそれがある。
【０００４】
本発明は、かかる事情に鑑みてなされたものであり、その目的は、メス形コネクタを基準とした開口部の位置ずれがある程度存在しても、オス形コネクタの取出時におけるオス形コネクタや開口部の破損を抑制することである。
【課題を解決するための手段】
【０００５】
かかる課題を解決するために、本発明は、ケース本体と、ケース本体内に設けられ、外部装置が備えるオス型コネクタと係合可能なメス型コネクタと、メス型コネクタと位置的に対応してケース本体に設けられ、オス型コネクタの先端をメス型コネクタ内に導くガイドとなる開口部とを有する携帯端末を提供する。この開口部は、メス型コネクタの内寸と略同寸法を有するとともに、オス型コネクタの側面に設けられた突出爪と位置的に対応する部位を切り欠いた開口形状を有する。
【発明の効果】
【０００６】
本発明では、開口部の開口形状を、オス型コネクタ側の突出爪と位置的に対応する部位を切り欠いた形状にしている。したがって、メス形コネクタに挿入されたオス形コネクタを取り出す際、オス形コネクタの側面に設けられた突出爪が開口部の縁部に引っ掛かり難くなる。その結果、オス形コネクタの取出時におけるオス形コネクタや開口部の破損を抑制できる。
【発明を実施するための最良の形態】
【０００７】
図１は、本実施形態に係る携帯端末の外観斜視図である。この携帯端末１は、例えば、ゴルフ場といった屋外で使用される携帯型の情報端末であり、グリーンのカップ位置、ホール上での自己の現在位置、カップまでの残りヤード数といったホールに関する各種の情報をゴルファーに提供する。携帯端末１には、ＧＰＳ（Global Positioning System）が搭載されており、携帯端末１の現在位置がリアルタイムで算出される。携帯端末１は、ケース本体１０と、操作部２０と、表示部３０と、コネクタカバー４０とを主体に構成されている。ケース本体１０は、略直方体形状を有するプラスチック製の筐体であり、携行時のフィット感を考慮して、その角部が曲線状に面取りされている。ユーザ（ゴルファー）は、ケース本体１０の前面に取付けられた表示部３０に表示される情報を参照しながら、ケース本体の１０の所定位置に設けられた操作部２０をプッシュ操作することにより、必要な情報にアクセスする。また、ケース本体１０の底部には、着脱可能な弾性のコネクタカバー４０が取り付けられている。
【０００８】
図２は、ケース本体１０の底面図である。コネクタカバー４０が取り外された状態では、ケース本体１０の底部の一部を陥没させることによって形成された陥没部１１が出現する。陥没部１１の底面１１ａには、略矩形状の開口形状を有する開口部１２が設けられている。この開口部１２の縁部には、ケース本体１０の内部に向かって開口面積が小さくなるようなテーパが設けられている。また、開口部１２の縁部の一部、具体的には上下左右の４カ所には、略矩形状の切り欠きが形成されている。
【０００９】
図３は、携帯端末１と外部装置との間におけるコネクタ接続の説明図である。ケース本体１０の内部には、プリント回路基板５０が収納されており、この基板５０上には、情報処理を行うのに必要な数々の電子部品が実装されているとともに、メス形コネクタ５１も実装されている。このメス形コネクタ５１は、外部装置が備えるオス形コネクタ６０と係合可能であって、具体的には、メス形コネクタ５１の凹部とオス形コネクタ６０の凸部とが係合する。一方、オス形コネクタ６０の上下面には、金属板６１がそれぞれ取り付けられている。上側の金属板６１の左右には、略コ字状の切り込みが設けられており、これによって、上方に突出した板バネ状の突出爪６１ａがそれぞれ形成されている。また、下側の金属板６１の左右にも、略コ字状の切り込みが設けられており、これによって、下方に突出した板バネ状の突出爪６１ａがそれぞれ形成されている。これらの突出爪６１ａによって、係合したコネクタ５１，６０同士のガタを防止でき、適度な接触圧が確保される。メス形コネクタ５１の直前に配置された開口部１２は、メス形コネクタ５１の内寸と略同寸法を有するとともに、その位置は、メス型コネクタ５１の位置と一致している。また、この開口部１２の縁部には、切欠部１２ａが上下左右の４カ所に形成されている。この切欠部１２ａの形成位置は、オス形コネクタ６０の上下の側面６０ａに設けられた４つの突出爪６１ａと位置的に対応しており、これらの突出爪６１ａとの接触を避けるための逃げ部として作用する。このような観点でいえば、切欠部１２ａの切欠高は、突出爪６１ａの突出高よりも大きいことが好ましい。
【００１０】
本実施形態によれば、開口部１２の縁部に切欠部１２ａを設けることにより、メス形コネクタ５１に挿入されたオス形コネクタ６０を取り出す際、オス形コネクタ６０の側面６０ａに設けられた突出爪６１ａが開口部１２の縁部に引っ掛かり難くなる。その結果、オス形コネクタ６０を取り出す際に、オス形コネクタ６０や開口部１２が破損してしまうのを有効に抑制すること可能になる。
【００１１】
なお、上述した実施形態では、オス形コネクタ６０の上下左右の４カ所に突出爪６１ａが形成されているが、本発明は、これに限定されるものではなく、オス形コネクタ６０の側面６０ａの適宜の位置に突出爪１６ａが形成されているものに対して広く適用可能である。
【００１２】
また、本発明に係る携帯端末は、上述したゴルフ場用の携帯端末１に限定されるものではなく、屋外で使用され得る各種の情報端末、例えば、スキー場や登山といった用途で用いられるナビゲーション端末、携帯電話、ＰＤＡ等に広く適用することができる。
【図面の簡単な説明】
【００１３】
【図１】本実施形態に係る携帯端末の外観斜視図
【図２】ケース本体の底面図
【図３】携帯端末と外部装置との間におけるコネクタ接続の説明図
【符号の説明】
【００１４】
１    携帯端末
１０    ケース本体
１１    陥没部
１１ａ  底面
１２    開口部
１２ａ  切欠部
２０    操作部
３０    表示部
４０    コネクタカバー
５０    プリント回路基盤
５１    メス型コネクタ
６０    オス型コネクタ
６０ａ  側面
６１    金属板
６１ａ  突出爪
【図１】
2006048100.tif 000003
【図２】
2006048100.tif 000004
【図３】
2006048100.tif 000005